(57)【要約】【課題】能率良く検査板を組立て、ワイヤハーネスを効率良く検査する。【解決手段】検査ユニット３の基板１１には、相手側コネクタＣを受け入れる検査用コネクタ１２が固定されている。検査用コネクタ１２の内部にコネクタＣの挿入端子又は受端子と適合する接続端１３を有している。また検査用コネクタ１２には、ロックアーム１４、イジェクトピン１５が設けられており、これらは電磁ソレノイド１６によって作動するようになっており、基板１１の表面にはＬＥＤランプが設けられている。このような検査ユニット３を検査台に組付けると、該当のワイヤハーネスの検査準備が完了する。検査に際して、検査回路に検査条件が入力され、検査回路は検査条件に従って、電磁ソレノイド１６、ＬＥＤランプを順次に作動することにより検査が行われる。【選択図】図３
2007298346.tif 000002
【特許請求の範囲】
【請求項１】
検査すべきワイヤハーネスのコネクタの接続端子と接続するための接続端を有する検査用コネクタと該検査用コネクタの前記接続端に接続したリード線とを備えた複数個の検査ユニットを、検査台の表面の任意の位置に交換自在に取り付け、前記リード線を介して前記接続端を検査回路に接続し、該検査回路は入力手段により入力した前記ワイヤハーネスの情報を基に検査を行うことを特徴とするワイヤハーネス検査システム。
【請求項２】
前記検査回路はパーソナルコンピュータに接続し、該パーソナルコンピュータに記憶したプログラムにより動作させることを特徴とする請求項１に記載のワイヤハーネス検査システム。
【請求項３】
前記ワイヤハーネスの情報はバーコード又はＩＣタグから読み取り、前記入力手段に入力することを特徴とする請求項２に記載のワイヤハーネス検査システム。
【請求項４】
前記パーソナルコンピュータは前記検査回路による検査結果を記憶することを特徴とする請求項２に記載のワイヤハーネス検査システム。
【請求項５】
前記検査結果は特定の操作によって、インタネット回線を介して閲覧可能としたことを特徴とする請求項４に記載のワイヤハーネス検査システム。
【発明の詳細な説明】
【技術分野】
【０００１】
本発明は、自動車などで使用する種々のワイヤハーネスに対して、結線状態、導通検査等を行うワイヤハーネス検査システムに関するものである。
【背景技術】
【０００２】
自動車の車体に取り付ける電気回路網であるワイヤハーネスについて、組立後の導通検査は不可欠である。
【発明の開示】
【発明が解決しようとする課題】
【０００３】
ワイヤハーネスの回路数は自動車の種類にもよるが、数１００回線にも及びものがあり、コネクタの数も多いものでは１００個以上にも達する。このワイヤハーネスの導通検査は特許文献１、２に開示されているような専用の検査板を有するワイヤハーネス検査装置を用いて行うが、ワイヤハーネスの形式が異なると検査板の大掛かりな配置換えをする必要がある。
【０００４】
また、従来のワイヤハーネス検査装置は検査板上に構築するために、検査板上に種々の機器を積み上げることになり、ワイヤハーネスの取り付けに際して引っ掛かったりして作業性が良くないという問題もある。
【０００５】
【特許文献１】特開平５−２８８７２９号公報
【特許文献２】特開平８−５６９４号公報
【０００６】
本発明の目的は、上述の課題を解消し、検査対象のワイヤハーネスが変わっても迅速に対応でき、短時間で効率良く検査が可能なワイヤハーネス検査システムを提供することにある。
【課題を解決するための手段】
【０００７】
上述の目的を達成するための本発明に係るワイヤハーネス検査システムの技術的特徴は、検査すべきワイヤハーネスのコネクタの接続端子と接続するための接続端を有する検査用コネクタと該検査用コネクタの前記接続端に接続したリード線とを備えた複数個の検査ユニットを、検査台の表面の任意の位置に交換自在に取り付け、前記リード線を介して前記接続端を検査回路に接続し、該検査回路は入力手段により入力した前記ワイヤハーネスの情報を基に検査を行うことにある。
【発明の効果】
【０００８】
本発明に係るワイヤハーネス検査システムによれば、能率良く検査板を組立可能で、効率の良い検査を実施できる。
【発明を実施するための最良の形態】
【０００９】
本発明を図示の実施例に基づいて詳細に説明する。
図１はワイヤハーネス検査装置の構成図であり、検査すべきワイヤハーネスを取り付けるための検査台１の架台２には、多数個の検査ユニット３が取り付けられている。検査ユニット３には、シーケンサ４を介してＰＣ（パーソナルコンピュータ）５の出力が接続されている。また、検査ユニット３はＩ／Ｏインタフェイス６を介して検査回路７と接続され、シーケンサ４、検査回路７はＰＣ５に記憶した検査プログラムに従って作動するようになっている。
【００１０】
そして、外部からの設定入力等は主にＰＣ５に接続されたキーボード８やバーコード、ＩＣタグ等により行われ、特にバーコード、ＩＣタグによる入力が入力ミスのないことから好適である。入力される情報としては、検査条件、検査項目、品番、ロット番号、作業者名、日付等が挙げられ、適宜にその中から選んで入力する。また、必要な情報はＰＣ５に接続されたディスプレイ９に表示可能になっている。更に、シーケンサ４の出力の一部は、検査合格票Ｐに合格印を印字するスタンパ１０に接続されている。
【００１１】
図２は検査ユニット３の平面図、図３は側面図である。検査ユニット３の基板１１には、ワイヤハーネスの回路に接続されているコネクタＣを受け入れる検査用コネクタ１２が固定されている。検査用コネクタ１２は該当のコネクタＣと嵌合するものであり、内部にコネクタＣの挿入端子又は受端子と適合する受端子又は挿込端子から成る接続端１３を有している。なお、検査用コネクタ１２はコネクタＣの型式に合わせて種々の形状、端子数のものが用意されている。
【００１２】
また検査用コネクタ１２には、ロックアーム１４、イジェクトピン１５が設けられており、これらのロックアーム１４、イジェクトピン１５は検査用コネクタ１２の下部に固定された電磁ソレノイド１６によって作動するようになっている。また、基板１１の表面にはＬＥＤランプ１７が設けられている。
【００１３】
検査用コネクタ１２からは、その接続端１３に接続したリード線と、電磁ソレノイド１６、ＬＥＤランプ１７を駆動する計４本のリード線とが一体となった電磁束１８が引き出され、中間挿込コネクタ１９に接続されている。
【００１４】
図４に示すように、作業のし易さから傾斜して構設された検査台１の架台２には、検査ユニット３の基板１１を固定するための孔部２０が格子状に配列されている。架台２の下方には、間隙を介して底板２１が設けられ、底板２１上には検査ユニット３の中間挿込コネクタ１９の挿込端子を受け入れる多数個の中間受コネクタ２２が固定されている。１個の中間受コネクタ２２には例えば２４個の受端子が設けられ、各受端子には電線が接続され、そのうちの電磁ソレノイド１６、ＬＥＤランプ１７用の４本の電線はシーケンサ４に接続され、残りの２０本の電線はＩ／Ｏインタフェイス６を介して検査回路７に接続されている。
【００１５】
検査ユニット３の中間挿込コネクタ１９は、検査用コネクタ１２の接続端１３の数のリード線に加えて、４本のリード線を中間受コネクタ２２に導通させればよいので、例えば２４本の挿込端子を有していて、そのうちの必要本数を生かすか、或いは必要な本数のみの挿込端子を備えていればよい。つまり、各検査用コネクタ１２はワイヤハーネスで用いるコネクタＣにそれぞれ適応したものとされ、ワイヤハーネスの該当のコネクタＣに対応する形状、接続端数を備えている。従って、図５に示すように、多数本の受端子を持つ中間受コネクタ２２との接続に際しては、検査用コネクタ１２の接続端１３の数と同数のリード線、及び電磁ソレノイド１６、ＬＥＤランプ１７用のリード線が電線束１８として接続されている。
【００１６】
この場合に、電磁ソレノイド１６、電線束１８は架台２に対し下方に配置され、電線束１８が架台２の表面にない状態となるので、電線束１８同士の絡みや電線束１８とワイヤハーネスとの絡みが生じ難い。
【００１７】
また、ワイヤハーネスのコネクタＣが多極であって、端子数が２０を越えて、１個ずつの中間挿込コネクタ１９、中間受コネクタ２２では接続すべきリード線の数が足りない場合には、図６に示すように検査用コネクタ１２から複数本の電線束１８を引き出し、これらの中間挿込コネクタ１９を複数の中間受コネクタ２２に接続すれば対応が可能となる。なお、この場合には電磁ソレノイド１６、ＬＥＤランプ１７用のリード線は何れか一方の電線束１８に備えていれば足りる。
【００１８】
検査台１における組立に際しては、ＰＣ５のキーボード８により検査すべきワイヤハーネスの型式を設定すると、ディスプレイ９にその組立作業票が表示される。なお、キーボード８で入力する代りに、検査すべきワイヤハーネスに付設されたバーコードやＩＣタグを読取装置により読み込むようにすると、検査条件の入力ミスを防止することができる。
【００１９】
作業者の手元にも、図７に示すような同様の印刷された組立作業票Ｗがあり、作業者はこの組立作業票Ｗに基づいて、架台２の指定個所に指定の検査ユニット３を取り付けてゆく。また、電線束１８の端末の中間挿込コネクタ１９を、指定された中間受コネクタ２２に嵌合する。
【００２０】
組立作業の指示通りに必要な全ての検査ユニット３を組付ければ、全ての検査用コネクタ１２の接続端１３及び電磁ソレノイド１６等用のリード線が検査回路７、シーケンサ４と接続されたことになり、ＰＣ５の指令によりシーケンサ４、検査回路７を作動して検査を行うことが可能となる。なお、この組立の誤りは、必要に応じてマスタのワイヤハーネスを用いて確認することができる。
【００２１】
図８は複数の上述のワイヤハーネス検査装置３０を集中管理するための構成図である。複数のワイヤハーネス検査装置３０のＰＣ５に対して中央管理装置３１が接続され、各ワイヤハーネス検査装置３０で得られた検査結果は中央管理装置３１に送信され、生産管理や統計処理等がなされる。この送受信は無線或いは有線、或いはインタネット回線により行うことができる。
【００２２】
図９はワイヤハーネス検査装置３０の検査手順のフローチャート図を示し、検査開始時にステップＳ１で検査製品番号等の検査条件をキーボード８等から入力し、ＰＣ５に送信する。
【００２３】
ステップＳ２で、ＰＣ５に記憶しているプログラム中から該当するワイヤハーネスの型番に対応した検査プログラムを選択し、検査を実行する準備をする。ステップＳ３でキーボード８の検査準備釦を押すと、ステップＳ４でシーケンサ４の出力により、ワイヤハーネスの該当のコネクタＣを嵌合すべき検査用コネクタ１２の脇のＬＥＤランプ１７が点灯する。ステップＳ５で検査者は各コネクタＣを該当の検査用コネクタ１２に挿し込む。
【００２４】
なお、このＬＥＤランプ１７を点灯するのは、検査台１ではオプション回路を含めた最大限の回路を考慮して組み上げているので、基本的に同じ形式のワイヤハーネスでも細部において異なることがあり、使用しない検査ユニット３があるためである。
【００２５】
つまり、本実施例のワイヤハーネス検査システムでは、複数の品番に対応する検査治具を１台の検査板上に配置でき、検査プログラムをランダムに切換えて検査することが可能となり、検査プログラムの変更の度に新たに検査板を準備する必要がなく、効率の良い検査が実施可能である。
【００２６】
コネクタＣの検査用コネクタ１２への挿し込みにより、先端に鉤部を有するロックアーム１４は押し拡げられ、コネクタＣの嵌合後にばね力により復元して鉤部により係止して、コネクタＣが抜け出ないようにロックする。また、イジェクトピン１５は予め引き下げられているか、或いはコネクタＣの挿し込みによって押し込まれるようになっている。
【００２７】
このようにして、ワイヤハーネスの全てのコネクタＣの取り付け完了後に、ステップＳ６でキーボード８の検査開始釦を押すと、検査が開始される。ステップＳ７において、ＰＣ５の検査プログラムの指令に従って検査回路７が作動し、ワイヤハーネスの導通の不具合や誤配線の検査が行われる。ステップＳ８でワイヤハーネスに異常が全くなければ、ステップＳ９でディスプレイ９に合格表示がなされ、ブザーによる合格音が発せられる。また、ステップＳ１０でシーケンサ４の出力によりスタンパ１０が作動し、検査が終了したワイヤハーネスに対して検査合格票Ｐに合格印が印字される。
【００２８】
次いで、ステップＳ１１において、検査用コネクタ１２に嵌合されている全てのコネクタＣは、シーケンサ４の出力により電磁ソレノイド１６によるロックアーム１４が解除される。同時に、イジェクトピン１５が持ち上がることにより、コネクタＣは検査用コネクタ１２から押し出されるので、ワイヤハーネスを検査台１から取り外すことによりステップＳ１２で検査終了となる。続いて、次に検査すべきワイヤハーネスを検査台１にセットして同様の検査を行う。
【００２９】
しかし、ステップＳ８でワイヤハーネスに異常が発見されると、ステップＳ１３でシーケンサ４を介して全ての異常なコネクタＣの個所のＬＥＤランプ１７を点滅する。同時に、ステップＳ１４で図１０に示すようにディスプレイ９の上部に不良個所リストが表示される。更に、キーボード８の釦或いは画面上のカーソル指示により、該当のコネクタＣの詳細情報を出力させると、ステップＳ１５でディスプレイ９の下部に具体的にどのコネクタＣが不具合であるかが表示される。
【００３０】
ステップ１６で作業者は異常を確認し、異常コネクタＣのリリースを指示すると、異常なコネクタＣはシーケンサ４の出力によるロックアーム１４の解除、イジェクトピン１５の上昇によって検査用コネクタ１２から押し出される。ステップＳ１７で作業者は該当の押し出されたコネクタＣを基にワイヤハーネスの修正を行う。
【００３１】
これらの修正終了後に、取り外したコネクタＣを再び検査用コネクタ１２に嵌合して、ステップＳ１８で再検査を指示すると、再びステップＳ７における検査を行う。
【００３２】
なお、これらの検査による結果はＰＣ５において記憶し、不良原因の究明等に使用される。例えば、中央管理装置３１は各ワイヤハーネス検査装置３０で得られた過去のデータにより、ワイヤハーネス生産上の不都合などの対策を探ることができたり、タイムリーに前工程へのフィードバック等の有効活用が可能となる。
【００３３】
また、検査結果は暗証番号、指紋認証などの特定の操作によって、インタネット回線を介して閲覧可能とすることで、検査工場が海外にあっても、互いに共通した情報を閲覧できる。
【図面の簡単な説明】
【００３４】
【図１】検査システムの構成図である。
【図２】検査ユニットの平面図である。
【図３】検査ユニットの側面図である。
【図４】検査台の斜視図である。
【図５】検査ユニットを検査台に取り付けた状態の側面図である。
【図６】検査ユニットからの２つの電線束を中間受コネクタに取り付けた状態の説明図である。
【図７】組立作業票の説明図である。
【図８】複数のワイヤハーネス検査装置を集中管理する構成図である。
【図９】検査手順の動作フローチャート図である。
【図１０】ディスプレイによる不良個所リストの表示説明図である。
【符号の説明】
【００３５】
１  検査台
２  架台
３  検査ユニット
４  シーケンサ
５  ＰＣ
７  検査回路
８  キーボード
９  ディスプレイ
１０  スタンパ
１１  基板
１２  検査用コネクタ
１３  接続端
１４  ロックアーム
１５  イジェクトピン
１６  電磁ソレノイド
１７  ＬＥＤランプ
１８  電線束
１９  中間挿込コネクタ
２１  底板
２２  中間受コネクタ
３０  ワイヤハーネス検査装置
３１  中央管理装置
【図１】
2007298346.tif 000003
【図２】
2007298346.tif 000004
【図３】
2007298346.tif 000005
【図４】
2007298346.tif 000006
【図５】
2007298346.tif 000007
【図６】
2007298346.tif 000008
【図７】
2007298346.tif 000009
【図８】
2007298346.tif 000010
【図９】
2007298346.tif 000011
【図１０】
2007298346.tif 000012